(57)【特許請求の範囲】
【請求項１】
容器の内容物を排出する方向に適用される、異種物質を受けいれる安全な蓋であって、
前記容器の口部に組み立てられる固定部と、
前記固定部に組み立てられて作動する作動部とからなり、
子供を含む知的能力が劣る者によって、前記容器から当該蓋または当該蓋の一部が分離されることができないように、固定部の固定部作動突起と作動部の作動部作動突起が結合される場合のみ、作動できるように構成されてなり、
前記安全蓋が、作動部または補助作動部が下方に押圧されたときに作動されるように構成され、
別途の排出手段が設けられ、
前記別途の排出手段が、当該蓋に収容された異種物質が混合されたのち、当該排出手段を介して混合された内容物が排出されるように構成されてなる安全な蓋。
【請求項２】
前記排出手段が、注射器を使用することができるようにゴムによって形成されてなる請求項１記載の安全な蓋。
【請求項３】
前記蓋が当該容器から分離できないように、当該蓋に対応する当該蓋の内壁部が、壁面の形態を有してなる請求項１記載の安全な蓋。
【発明の詳細な説明】
【技術分野】
【０００１】
本発明は、瓶の安全蓋に関し、より詳しくは、異種物質が入った容器に入った蓋を容器に入った内容物に落下混合させないように安全形作動部を付加したもので、特に子供や知的能力が劣る者が、容器から蓋または蓋の一部を任意分離させることができないことにその目的がある。
【０００２】
そして、蓋に入った内容物を混合した後にも、その蓋を容器から分離させることができないようにすることに他の目的がある。
【背景技術】
【０００３】
一般に容器に入った内容物は、容器の上部に締め切られた蓋を開封して容器を傾けて排出する。
【０００４】
他の技術は、容器に入った内容物を知的能力が劣る者が任意に開放できないように上部圧迫または側面圧迫形安全蓋があるが、これは単純な蓋に安全装置をした場合である。
【発明の概要】
【発明が解決しようとする課題】
【０００５】
本発明の目的は、容器に入った内容物の任意開放を防止することは勿論、蓋に入った異種物質の任意混合を防止することにある。
【０００６】
本発明の他の目的は、容器に入った内容物と蓋に入った内容物を分離して製品の安全性（品質、風味）を向上することにある。
【課題を解決するための手段】
【０００７】
前記目的を実現するための本発明による蓋は、蓋に入った異種物質の任意落下を防止するために作動部や固定部または主作動部の上方に補助作動部を設け、その該当部位は蓋の上方を圧迫する時のみにその相対部位と連結されて蓋が作動したり、開くように構成する。
【発明の効果】
【０００８】
前述のように本発明によると、ビタミンや子供などに用いられることが良いし、特に弁別力が不足なので不注意で蓋を開放することが根本的に遮断されて子供安全用蓋に非常に有用な特徴がある。
【図面の簡単な説明】
【０００９】
【図１】本発明の第１実施例を示す図である。
【図１】本発明の第１実施例を示す図である。固定部と作動部の要部を示す図である。
【図２】本発明の第１実施例を示す図である。好ましい実施を示す組立縦断面図である。
【図３】本発明の第１実施例を示す図である。固定部から作動部が分離された状態を示す図である。
【図４】本発明の第１実施例を示す図である。固定部から作動部が連結された状態を示す図である。
【図５】本発明の第１実施例を示す図である。固定部の下部要部を示す図である。
【図６】本発明の第１実施例を示す図である。固定部の截取用突起受容空間を示す図である。
【図７】本発明の第１実施例を示す図である。固定部の截取部を示す要部縦断面図である。
【図８】本発明の第１実施例を示す図である。固定部の截取部を示す要部縦断面図である。
【図９】本発明の第１実施例を示す図である。固定部の截取部を示す要部縦断面図である。
【図１０】本発明の第１実施例を示す図である。固定部の截取部を示す要部縦断面図である。
【発明を実施するための形態】
【００１０】
以下、本発明の好ましい実施例を添付した図面に基づいて詳細に説明する。
【００１１】
図１は本発明の好ましい一実施例を示す図面として、異種物質を受け入れる蓋１が容器３００の口部に組み立てられる固定部１００と、その固定部１００に組み立てられて作動する作動部２００とからなる。
【００１２】
そして、前記作動部２００は貯蔵空間２０２を有する受容部２０１を形成し、その下方には切断用の突起２０３を設け、前記受容部２０１と対向する固定部１００には切断線１０２によって区画された切断される膜１０１と切断される突起２０３が受けとめることができる、切断される突起を受けとめる空間１０３が形成される。
【００１３】
また、前記固定部１００の固定部作動突起１０４から離間され、一定の角度で曲げられた、弾性を有する弾力片２０４が、瞬時に的に弾性力を失うと、結合される形態の作動部作動突起２０５が形成され、前記固定部作動突起１０４と作動部作動突起２０５は、図３に示すように離間され、図４に示すように、作動部２００の上面部２０６を押圧してそれぞれが結合される。
【００１４】
そして、前記固定部１００と作動部２００の間には、好ましくは側面部２０７を中心にして側面部２０７の内壁部に作動部弾力片２０８を形成し、その対応する固定部１００の部位には固定部弾力片１０５を形成し、閉鎖する方向には作動部弾力片２０８が固定部弾力片１０５を係止して閉鎖し、開放する方向には作動部弾力片２０８が固定部弾力片１０５に沿って超えるように構成されることが好ましいが、他の種々の変形や変更が可能である。
【００１５】
このように本発明の蓋１は、図２に示すように、内部に異種物質が充填されるように構成され、前記の状態で作動部２００を開放すると切断される突起２０３が切断される膜１０１が除去され、同時に貯蔵空間２０２の異種物質が容器３００の内部に落下して混合される。
【００１６】
また、異種物質が混合された内容物を排出する場合は、作動部２００を押圧して作動部作動突起２０５が固定部作動突起１０４に係止した状態で開放すると作動部２００とともに固定部１００が離脱する。
【００１７】
そして、貯蔵空間２０２の形成受容部２０１の構造、またはその対応する、切断される膜１０１、異種物質を充填することは他の種々の方法によって実現することができる。
【００１８】
したがって、前記蓋１は、蓋１を容器３００から容易に開けることができない構造である場合、多様な方法により異種物質を含む蓋１に適用することでき、したがって、蓋１に入れる異種物質を受けいれる空間も多様に変形や変更することができる。
【００１９】
他の実施例として図７に示すように、固定部１００の切断線１０２が、破壊されることを防止するために、切断線１０２の上部と下部に切断線を保護する物質１０６、１０７を付加している。
【００２０】
他の実施例として図８に示すように、切断される膜１０１を別途形成し、図９は切断される膜１０１が一定の角度を維持していることを示す。図１０は切断される膜１０１が組み立てられた状態を示す。
【００２１】
他の実施例として、図１１に示すとおり、蓋１の変形例を示すもので、作動部２００を開封すると上下に移動することを容易にするガイド１０８によって開閉孔密閉部１０９が開閉孔１１０から抜けて、貯蔵空間２０２に収容されていた異種物質が容器３００の内部に落下されるように構成される。
【００２２】
図中の符号１１１は密閉部を示し、１１２はスカートを示し、１１３は延長部を示し、２０９は作動手段を示し、２１７は被覆部を示す。
【００２３】
また、他の実施例として図１２に示すように、本発明は異種物質が混合された蓋１が離脱されていない状態で注射器を刺すように保護膜２１１を有するゴム２１０を形成する。
【００２４】
また、他の実施例として図１３に示すように、本発明は異種物質が混合された内容物を排出する別途の手段を形成したもので、作動部の口部２１２に形成された密閉栓２１３が、むやみに開かないように誘導溝２１４の下方にある固定溝２１５に固定突起２１６が結合されるように構成したもので、前述のものを使用する場合には外部の表示によって固定突起２１６が誘導溝２１４に位置されるようにした状態で密閉栓２１３を持ち上げると、混合された異種物質が排出される。
【００２５】
また、他の実施例として図１４には、本発明による異種物質が混合された内容物を排出する、さらに他の形態にかかわる蓋１が示されている。
【００２６】
また、他の実施例として図１５には、本発明による異種物質が混合された、さらに他の蓋１が示され、主作動部２１８の外部に補助作動部２１９が結合されている。
【００２７】
また、他の実施例として図１６には、本発明による異種物質が混合された、さらに他の蓋１が示され、補助作動部２１９によって主作動部２１８が上方に向けられてから、貯蔵空間２０２が開くように構成されている。
【００２８】
また、他の実施例として図１７には、異種物質が混合された、さらに他の蓋１が示され、容器の首部に固定される、螺子山が刻設されていない内壁部１１４が構成され、いかなる場合でも蓋１を容器３００から分離させることができないので、他の構造にも適用することができる。
【産業上の利用可能性】
【００２９】
本発明はビタミンやアルコール、または化工薬品や製薬分野に子供安全用に広く用いることができる。
【符号の説明】
【００３０】
１      蓋
１００  固定部
１０３  切断される突起を受けとめる空間
２００  作動部
２０２  貯蔵空間
２０３  切断される突起
２０４  弾力片
２０５  作動部作動突起
【図１】
0005450379.tif 000002
【図２】
0005450379.tif 000003
【図３】
0005450379.tif 000004
【図４】
0005450379.tif 000005
【図５】
0005450379.tif 000006
【図６】
0005450379.tif 000007
【図７】
0005450379.tif 000008
【図８】
0005450379.tif 000009
【図９】
0005450379.tif 000010
【図１０】
0005450379.tif 000011
【図１１】
0005450379.tif 000012
【図１２】
0005450379.tif 000013
【図１３】
0005450379.tif 000014
【図１４】
0005450379.tif 000015
【図１５】
0005450379.tif 000016
【図１６】
0005450379.tif 000017
【図１７】
0005450379.tif 000018